(57)【特許請求の範囲】
【請求項１】
扉枠の出入口を開閉する開閉自在のドアの下部に、ドアの幅方向の略全長にわたって長く延びる断面形状がコの字形の案内枠を、その開口部を下向きとして取付け、その案内枠と略等しい長さを有し、断面形状がコの字形のシール枠を、その開口部を上向きとして上記案内枠内に挿入し、上記シール枠の下部に、シール枠の下降時に底面と弾性接触する弾性シールを設け、前記シール枠内にピンガイドと、そのピンガイドのドア吊元側にスライドピースとを組込み、上記ピンガイドの上部を案内枠に固定し、スライドピースを案内枠の長さ方向にスライド自在に支持し、そのスライドピースをスプリングによってドアの吊元側に向けて押圧し、上記スライドピースの先端部に斜下方向に長く延びる傾斜孔を設け、前記ピンガイドには上下方向に長く延びる縦長孔を形成し、その縦長孔と傾斜孔の交差部に挿入されたピンの両端部を前記シール枠で支持し、そのシール枠を前記ピンガイドに一体に設けられた弾性体により下向きに押圧し、前記スライドピースにロッドの一端部を連結し、ロッドの他端部をドアの吊元側端面より外方に突出させたドアボトムのシール装置。
【発明の詳細な説明】
【０００１】
【発明の属する技術分野】
この発明は、ドアを閉め状態において、そのドアの下面と床面間を密封するドアボトムのシール装置に関するものである。
【０００２】
【従来の技術】
ドアの下面と床面間を密封するドアボトムのシール装置として、特開平８−１３９４７号公報に記載されたものが知られている。このシール装置は、ドアの下面にドアの幅方向に長く延びるハウジングを取付け、そのハウジングに形成されたガイド溝内に板ばねを挿入して一端を固定し、他端に接続したロッドの先端の出没子をドアの吊元側端面に対して出没自在に支持し、前記ドアの閉鎖時に、ドア枠の縦枠に対する当接により前記出没子を押し込んで板ばねを下方にたわませ、その板ばねの変形によりハウジングのガイド溝内に組込まれたシール枠を下降させてシール枠下端のシール部材を床面に密着させるようにしている。
【０００３】
また、ドアの開放時、板ばねを直線状に形状復元させ、その形状復元によりシール枠を引き上げるようにしている。
【０００４】
【発明が解決しようとする課題】
ところで、上記従来のシール装置においては、板ばねの一端の固定、板ばねとロッドの接続、板ばねとシール枠の連結に複数の連結ピースを必要とすると共に、各連結ピースの連結や固定に複数のノックピンを必要とし、部品点数が多く、組立てに手間がかかるという不都合があった。
【０００５】
この発明の課題は、部品点数の少ない組立ての容易なドアボトムのシール装置を提供することである。
【０００６】
【課題を解決するための手段】
上記の課題を解決するために、この発明においては、扉枠の出入口を開閉する開閉自在のドアの下部に、ドアの幅方向の略全長にわたって長く延びる断面形状がコの字形の案内枠を、その開口部を下向きとして取付け、その案内枠と略等しい長さを有し、断面形状がコの字形のシール枠を、その開口部を上向きとして上記案内枠内に挿入し、上記シール枠の下部に、シール枠の下降時に底面と弾性接触する弾性シールを設け、前記シール枠内にピンガイドと、そのピンガイドのドア吊元側にスライドピースとを組込み、上記ピンガイドの上部を案内枠に固定し、スライドピースを案内枠の長さ方向にスライド自在に支持し、そのスライドピースをスプリングによってドアの吊元側に向けて押圧し、上記スライドピースの先端部に斜下方向に長く延びる傾斜孔を設け、前記ピンガイドには上下方向に長く延びる縦長孔を形成し、その縦長孔と傾斜孔の交差部に挿入されたピンの両端部を前記シール枠で支持し、前記スライドピースにロッドの一端部を連結し、ロッドの他端部をドアの吊元側端面より外方に突出させた構成を採用している。
【０００７】
上記の構成を採用することにより、ドアを閉じると、扉枠の縦枠に対する当接によってロッドが押し込まれ、スライドピースがピンガイドに向けて移動するため、ピンガイドに形成された縦長孔に沿ってピンが下降する。このとき、ピンはシール枠に固定されているため、ピンと共にシール枠が下降して下端の弾性シールが床面と弾性接触し、ドアの下端と床面間をシールする。
【０００８】
ここで、シール枠はドアが完全に閉じる手前の位置から下降を始め、その下降開始時にシール枠のドア戸先側の一端が他端より先に下降すると、シール枠の一端は床面に接触する状態でドアのヒンジを中心に回転し、床面に傷をつけるおそれがある。
【０００９】
そのような不都合の発生を防止するため、ピンガイドは、シール枠の長さ方向中央からドアの戸先側に少し片寄った位置に取付け、シール枠のピンからドアの吊元側部分の重量を戸先側部分の重量より少し重くし、ドアの閉鎖時にシール枠の吊元側端部が先に下降し始めるようにしておくのが好ましい。
【００１０】
また、シール枠の吊元側端部が先に下降し始めるよう、シール枠の吊元側端部を弾性体により下向きに押圧してもよい。上記弾性体はピンガイドに一体に設けてもよい。
【００１１】
【発明の実施の形態】
以下、この発明の実施の形態を添付図面に基づいて説明する。
【００１２】
図１乃至図３に示すように、扉枠１の出入口２を開閉するドア３は、その一側の上下部がヒンジ４によって回動自在に支持されている。
【００１３】
ドア３の下面にはドアの吊元側端面から戸先側端面に至る収納溝５が設けられ、その収納溝５の両端の開口は、ドア３の吊元側端面および戸先側端面にねじ止めした端板６によって閉じられている。
【００１４】
収納溝５には案内枠７が挿入されている。案内枠７は、ドア３の幅寸法に等しい長さを有する。この案内枠７は、断面形状がコの字形をなし、その開口部を下向きとして上記収納溝５内に挿入され、ねじの締付けによる手段を介してドア３に固定されている。
【００１５】
案内枠７の内面対向位置には一対の突条８が形成され、その突条８の下方にシール枠９が組込まれている。
【００１６】
シール枠９は案内枠７と略同じ長さを有する。このシール枠９は断面形状がコの字形とされ、その開口を上向きとして案内枠７内に挿入されている。
【００１７】
シール枠９の下面には全長にわたって弾性シール１０が設けられ、その弾性シール１０はシール枠９の下降時に床面Ａと弾性接触して、ドア３の下面と床面間を密封する。
【００１８】
シール枠９の内側には、ピンガイド１１と、そのピンガイド１１からドア３の吊元側にスライドピース１２とが組込まれている。ピンガイド１１はシール枠９の長さ方向中央からドア３の戸先側に少し片寄った位置に配置され、上記案内枠７上からねじ込まれるビス１３の締付けによって案内枠７に固定されている。
【００１９】
ピンガイド１１は合成樹脂から成り、そのピンガイド１１に上下方向に長く延びる縦長孔１４が設けられている。また、ピンガイド１１のドア吊元側の端面には弾性体としての弾性片１５が一体に設けられている。弾性片１５はシール枠９を下向きに押圧している。
【００２０】
前記スライドピース１２は、両側上部に突出片１６を有し、その突出片１６が案内枠７の突条８によってスライド自在に支持されている。
【００２１】
スライドピース１２の先端部にはピンガイド１１が挿入可能な間隔をおいて二股片１７が設けられている。二股片１７には斜め下方に延び傾斜孔１８が形成され、この傾斜孔１８とピンガイド１１に形成された縦長孔１４の交差部にピン１９が挿入されている。ピン１９はシール枠９によって両端が固定されている。
【００２２】
なお、ピンガイド１１を二股状とし、スライドピース１２をその二股状ピンガイド１１内に挿入可能な形状としてもよい。
【００２３】
スライドピース１２は、ピンガイド１１との間に組込まれたスプリング２０によってドア３の吊元側に向けて押圧され、その押圧によってピン１９は縦長孔１４の上端と当接する状態に保持されている。
【００２４】
スライドピース１２の後端にはロッド２１が接続されている。ロッド２１は雄ねじ２２を先端部に有し、その雄ねじ２２に出没子２３がねじ係合されている。
【００２５】
出没子２３は、ドア３の吊元側端面に取付けられた端板６の挿入孔２４にスライド自在に挿通され、上記端板６より外部に位置する端面にドライバーの係合溝２５が設けられている。
【００２６】
実施の形態で示すシール装置は上記の構成から成り、図２は、ドア３が開放位置にある状態を示し、スライドピース１２はスプリング２０の弾力によりドア３の吊元側に押圧され、出没子２３の先端部がドア３の吊元側端面より外部に位置している。
【００２７】
なお、出没子２３の突出長さは、その出没子２３を回転することによって調整することができる。
【００２８】
また、シール枠９に固定されたピン１９はピンガイド１１に形成された縦長孔１４の上端に当接し、シール枠９は引き上げられた状態に保持されている。
【００２９】
上記の状態からドア３を閉めると、出没子２３が扉枠１の縦枠１ａの内面に当接して停止し、その停止状態の出没子２３に対してドア３がさらに閉じる方向に回転するため、出没子２３が案内枠７内に押し込まれる。
【００３０】
上記出没子２３の押し込みによって、スライドピース１２がピンガイド１１に向けて移動する。その移動によってスプリング２０は圧縮変形し、スライドピース１２に設けられた傾斜孔１８はピン１９を押圧するため、ピン１９はピンガイド１１に形成された縦長孔１４に沿って下方向に移動し、シール枠９が下降する。
【００３１】
ドア３を完全に閉めると、図４（Ｉ）、（II）に示すように、シール枠９の下面に設けられた弾性シール１０が床面に弾性接触し、ドア３の下端と床面Ａの間が密封される。
【００３２】
シール枠９の下降時、そのシール枠９はピン１９からドア３の吊元側部分が戸先側部分より重く、しかもピンガイド１１に設けた弾性片１５が吊元側端部を下向きに押圧しているため、シール枠９は吊元側端部が先に下降する。
【００３３】
このため、シール枠９は吊元側端部に向けて傾斜する状態で下降することになり、弾性シール１０は吊元側端が戸先側端より先に床面に当接し、その当接位置はドア３が閉じるに至って戸先側に移動する。
【００３４】
このため、弾性シール１０の戸先側端が吊元側端より先に床面に当接することがなく、床面に大きな擦り傷がつくのを未然に防止することができる。
【００３５】
図４（Ｉ）、（II）に示す状態からドア３を開放すると、スプリング２０の復元弾性によってスライドピース１２がドア３の吊元側に向けて移動し、出没子２３は外方向に向けて移動する。またスライドピース１２の傾斜孔１８がピン１９を上向きに押圧するため、ピン１９はピンガイド１１の縦長孔１４に沿って上方に移動し、シール枠９が引き上げられ、床面Ａから弾性シール１０が離反する。
【００３６】
シール枠９の上昇時、そのシール枠９は戸先側端が吊元側端より先に引き上げられるため、シール枠９は戸先側端に向けて上り勾配をもって傾斜する状態で引き上げられ、弾性シール１０の戸先側端が床面Ａ上を摺接動することがなく、床面Ａに傷がつくという不都合の発生はない。
【００３７】
なお、実施の形態ではドアの下面に形成した収納溝内に案内枠を取付けたが、上記案内枠をドアの一側面下部に形成した切欠部に取付けるようにしてもよく、あるいは一側面下部に取付けるようにしてもよい。
【００３８】
【発明の効果】
以上のように、この発明においては、案内枠に固定されたピンガイドとロッドが接続されたスライドピースとの間にスプリングを組込み、そのスライドピースに設けられた傾斜孔とピンガイドに形成された傾斜孔の交差部にピンを挿入し、そのピンの両端部をシール枠で支持したので、板ばねを用いた従来のシール装置に比較してピン数を大幅に削減することができると共に連結ピースが不要になり、部品点数の減少によって組立ての容易化を図ることができる。
【００３９】
また、シール枠をピンガイドとドアの吊元側端面間において弾性体により下向きに押圧したことにより、ドアの開き始めや閉じ終り時にシール枠に設けられた弾性シールの戸先側端が床面上を摺動するのを防止することができ、床面に擦り傷がつくのを防止することができる。
【００４０】
さらに、ピンガイドに弾性体を一体に設けたことにより、部品点数が減少し、組立ての容易化を図ることができる。
【図面の簡単な説明】
【図１】（Ｉ）はこの発明の実施の形態を示す横断平面図、（II）は一部切欠正面図
【図２】（Ｉ）は同上の一部を拡大して示す断面図、（II）は（Ｉ）のａ−ａ線に沿った断面図
【図３】同上の分解斜視図
【図４】（Ｉ）は同上ドアの閉鎖状態を示す断面図、（II）は（Ｉ）のｂ−ｂ線に沿った断面図
【符号の説明】
１  扉枠
２  出入口
３  ドア
７  案内枠
９  シール枠
１０  弾性シール
１１  ピンガイド
１２  スライドピース
１４  縦長孔
１５  弾性片
１８  傾斜孔
１９  ピン
２０  スプリング
２１  ロッド
【図１】
0003663273.tif 000002
【図２】
0003663273.tif 000003
【図３】
0003663273.tif 000004
【図４】
0003663273.tif 000005